(57)【特許請求の範囲】
【請求項１】
タイトル情報に係わる文字キャラクタ及び案内キャラクタを記憶する記憶手段と、
タイトル表示指令を入力する操作手段と、
所定順序方向に所定桁数の桁表示領域を有し、当該桁表示領域に前記タイトル情報に係わる文字キャラクタ及び案内キャラクタを表示させる表示手段と、
シフト制御信号に応じて前記記憶手段に記憶された案内キャラクタを読み出し、当該読み出された案内キャラクタを前記桁表示領域の最後桁から最先桁方向へと順次にシフト表示させるシフト制御手段と、
当該シフト表示中の案内キャラクタが所定桁にシフト表示されると、前記記憶手段から該当文字キャラクタを読み出し、当該読み出された該当文字キャラクタを当該所定桁の桁表示領域に表示させる文字制御手段と、
前記タイトル表示指令を受けると、前記シフト制御信号を送出すると共に、前記文字制御手段による該当文字キャラクタ表示が完了し、かつ当該桁表示領域に空き桁があれば、前記シフト制御信号を送出する制御手段とを有することを特徴とするオーディオ装置。
【請求項２】
前記所定桁は、タイトル表示指令時においては当該桁表示領域の最先桁に、当該文字キャラクタ表示中においては直前に文字キャラクタが表示された桁の次桁に設定されることを特徴とする請求項１記載のオーディオ装置。
【請求項３】
前記制御手段は、前記桁表示領域の全桁に文字キャラクタが表示される前に、当該タイトル情報に係わる全ての文字キャラクタが表示されたのであれば、前記シフト制御手段及び文字制御手段による動作を終了することを特徴とする請求項１又は２記載のオーディオ装置。
【請求項４】
前記制御手段は、前記桁表示領域の全桁に文字キャラクタが表示され、かつ当該表示中の文字キャラクタに係わるタイトル情報に未表示文字キャラクタがあれば、当該桁表示領域の最後桁から最先桁方向へと一桁づつ前記未表示文字キャラクタをスクロール表示させることを特徴とする請求項１、２又は３記載のオーディオ装置。
【発明の詳細な説明】
【０００１】
【産業上の利用分野】
本発明は、ＣＤグラフィックスやミニディスク（以下、単にＭＤと称する）等の記録媒体に記録された、又はユーザーが操作キーにより入力したアルバム名や曲名等といったタイトル名を表示させるタイトル表示機能を備えたオーディオ装置に関する。
【０００２】
【従来の技術】
従来、ＣＤやＭＤ等のディスクには、音声情報の他に当該ディスクに係わる識別情報としてＴＯＣ情報が記録されており、当該ＴＯＣ情報には前記音声情報に係わるアルバム名や曲名等といったタイトル情報や、演奏時間等のディスク情報が記録されている。
【０００３】
このようなＴＯＣ情報を有するディスクを再生するオーディオ装置としては、所定操作のキー入力に応じてタイトルモードを選択することにより、当該ディスクに記録されたＴＯＣ情報を抽出し、当該抽出されたＴＯＣ情報に含まれるタイトル情報に基づいてタイトル名を所定桁数の桁表示領域に表示させたり、ディスク情報に関連して予め入力していたタイトル情報を、再生時にディスク情報と照合して抽出し、当該抽出されたタイトル情報に基づいてそのタイトル名を表示させるタイトル表示機能を備えたものがある。
【０００４】
このようなタイトル表示機能を備えたオーディオ装置によれば、タイトルモードを選択することにより、現在演奏中のディスクに係わるタイトル名を前記桁表示領域に表示させるようにしたので、ユーザーは演奏中であっても現在演奏中のディスクに係わるタイトル名を認識することができる。
【０００５】
しかしながら、上記従来のオーディオ装置によれば、当該装置に占める表示スペースから考えて、当該桁表示領域の桁数に限りがあり、当該限られた桁数の桁表示領域にてタイトル名を表示させるようにしたので、長いタイトル名を表示する場合には、当該桁表示領域に表示されないタイトル名の残り文字、すなわち未表示部分が発生し、当該未表示部分によりユーザーに正確なタイトル名を認識させることができないといった事態が生じた。
【０００６】
そこで、このような事態を打開するために、当該桁表示領域の桁数分に相当するタイトル名の文字表示が終了すると、当該タイトル名の未表示部分に相当に残り文字を当該桁表示領域に一桁づつスクロール表示させるスクロール表示機能を備えたものがある。
【０００７】
このようなスクロール表示機能を備えたオーディオ装置によれば、長いタイトル名を当該桁表示領域に表示させる場合、当該桁表示領域に順次一桁づつタイトル文字を表示させ、当該桁表示領域の桁数分に相当するタイトル文字、すなわち先頭部分を表示させた後、当該タイトル名に係わる未表示部分を当該桁表示領域に一桁づつ順次スクロール表示させるようにしたので、当該桁表示領域に長いタイトル名を表示させる場合であっても、ユーザーはそのタイトル名を正確に認識することができる。
【０００８】
【発明が解決しようとする課題】
しかしながら、上記従来のスクロール表示機能を備えたオーディオ装置によれば、前記スクロール表示前、すなわち当該タイトル名に係わる先頭部分の表示中においては当該桁表示領域に順次一桁づつタイトル文字を表示させるようにしたが、当該桁表示領域に表示される先頭部分の表示動作が単調であるため、ユーザーは現在表示中の表示が先頭部分の表示、すなわちタイトル開始画面であるか否かを誤って認識してしまう虞があり、強いては当該タイトル名をも正確に認識することができないといった問題点があった。
【０００９】
本発明は上記問題点に鑑みてなされたものであり、その目的とするところは、タイトル開始画面を確実に認識させ、強いてはそのタイトル名をユーザーに確実に認識させることができるオーディオ装置を提供することにある。
【００１０】
【課題を解決するための手段】
上記目的を達成するために本発明のオーディオ装置は、タイトル情報に係わる文字キャラクタ及び案内キャラクタを記憶する記憶手段と、タイトル表示指令を入力する操作手段と、所定順序方向に所定桁数の桁表示領域を有し、当該桁表示領域に前記タイトル情報に係わる文字キャラクタ及び案内キャラクタを表示させる表示手段と、シフト制御信号に応じて前記記憶手段に記憶された案内キャラクタを読み出し、当該読み出された案内キャラクタを前記桁表示領域の最後桁から最先桁方向へと順次にシフト表示させるシフト制御手段と、当該シフト表示中の案内キャラクタが所定桁にシフト表示されると、前記記憶手段から該当文字キャラクタを読み出し、当該読み出された該当文字キャラクタを当該所定桁の桁表示領域に表示させる文字制御手段と、前記タイトル表示指令を受けると、前記シフト制御信号を送出すると共に、前記文字制御手段による該当文字キャラクタ表示が完了し、かつ当該桁表示領域に空き桁があれば、前記シフト制御信号を送出する制御手段とを有することを特徴とする。
【００１１】
【作用】
かかる構成により、本発明のオーディオ装置によれば、タイトル表示指令を受けると、案内キャラクタを桁表示領域の最後桁から最先桁方向へと順次にシフト表示させ、当該シフト表示中の案内キャラクタが所定桁に表示されると、当該所定桁に当該タイトル名に係わる文字キャラクタを表示させ、当該桁表示領域の全桁に各文字キャラクタが表示されるまで、すなわちタイトル開始画面が完了するまで、前記案内キャラクタ及び文字キャラクタの表示動作を繰り返すようにしたので、ユーザーは当該案内キャラクタの表示を見ることにより、現在桁表示領域に表示中の画面がタイトル開始画面、すなわち当該タイトル名に係わる先頭部分を表示中であることを認識することができ、強いては当該タイトル名を確実に認識することができる。
【００１２】
【実施例】
以下、図面に基づいて本発明のオーディオ装置を適用したＭＤオートチェンジャーシステムについて説明する。図１は本発明のオーディオ装置を適用したＭＤオートチェンジャーシステム内部の概略構成を示すブロック図である。
【００１３】
図１においてＭＤオートチェンジャーシステム（以下、単にシステムと称する）は、複数枚のディスクを収納再生するメカ機構を備えたＭＤオートチェンジャー（以下、単にチェンジャーと称する）１０と、当該システム全体を制御するＭＤコントロールユニット（以下、単にコントロールユニットと称する）２０とを有している。尚、当該コントロールユニット２０は、ディスクに記録されたタイトル情報に基づいて各タイトル名を表示させるタイトル表示機能を備えたものとする。
【００１４】
前記コントロールユニット２０は、前記チェンジャー１０にて再生されたディスクの再生信号にオーディオ処理を施すオーディオ回路２１と、当該オーディオ処理を施された再生信号を増幅するアンプ部２２と、当該増幅された再生信号を音声出力するスピーカ部２３と、例えばディスク再生キーや前記タイトル表示機能を起動させるタイトル表示キー等の当該システムに係わる様々な指令を入力する操作部２４と、当該システムに係わる様々な情報を表示させる表示部２５と、当該システムに係わる初期データ等を格納したＲＯＭ２６と、当該システムに係わる様々なデータ等を記憶するＲＡＭ２７と、当該コントロールユニット２０全体を制御するＣＰＵ２８とを有している。
【００１５】
前記表示部２５には、左右方向に最先桁である最左桁２９ａから最後桁である最右桁２９ｂへと８桁の桁表示領域２９を有しており、当該桁表示領域２９には、例えば現在時刻を示す現在時刻表示、現在演奏中のディスクに係わるディスクＮｏ．やトラックＮｏ．を表示させるディスクＮｏ．表示やトラックＮｏ．表示、現在演奏中の演奏時間を示すＰ−ＴＩＭＥ表示や現在演奏中のディスクに係わるタイトル名を表示させるタイトル表示を兼用表示させるようにしたものである。
【００１６】
前記ＲＡＭ２７には、前記チェンジャー１０を介して抽出されたディスク固有の識別情報であるＴＯＣ情報が前記ＣＰＵ２８を介して記憶されており、当該ＴＯＣ情報内には演奏時間やタイトル名、すなわちアルバム名や各曲の曲名等のタイトル情報等が含まれている。
【００１７】
尚、請求項１記載中の記憶手段は前記ＲＯＭ２６及びＲＡＭ２７、操作手段は前記操作部２４、表示手段は前記桁表示領域２９に相当するものである。また、請求項１記載のシフト制御手段、文字制御手段及び制御手段は、前記ＣＰＵ２８に相当するものである。
【００１８】
次に当該システムのタイトル表示機能について説明する。図２乃至図４は当該タイトル表示処理におけるＣＰＵ２８の処理動作を示すフローチャートである。図５及び図６は当該タイトル表示処理における桁表示領域の表示動作を示す説明図である。
【００１９】
当該タイトル表示処理とは、前記タイトル表示キーの入力に応じて、例えば演奏中のディスクに係わるタイトル名を前記桁表示領域２９に表示させるようにした処理であり、殊に当該タイトル開始画面をユーザーに認識させるために当該桁表示領域２９に案内キャラクタであるイメージマークをシフト表示させるようにした処理である。
【００２０】
図２においてＣＰＵ２８は、前記チェンジャー１０にてディスクを再生させ（ステップＳ１１）、図５（ａ）に示すように当該ディスクにて再生中の曲に相当するトラックＮｏ．を前記桁表示領域２９に表示させ（ステップＳ１２）、タイトル表示キーが入力されたか否かを判定する（ステップＳ１３）。
【００２１】
当該タイトル表示キーが入力されたのであれば、当該タイトルモードを設定し（ステップＳ１４）、現在表示中のトラックＮｏ．表示をクリアーさせるためのトラック表示タイマーを５秒にセットし（ステップＳ１５）、当該セットされたトラック表示タイマーの５秒が経過したか否かを判定する（ステップＳ１６）。当該トラック表示タイマーの５秒が経過したのであれば、当該桁表示領域２９に表示中のトラックＮｏ．表示をクリアーし（ステップＳ１７）、前記ＲＡＭ２７に記憶されたＴＯＣ情報に基づいて当該演奏中の曲に係わる曲名を検索し、該当曲名に係わるタイトル情報があるか否かを判定する（ステップＳ１８）。
【００２２】
当該ＲＡＭ２７に記憶中のＴＯＣ情報内に該当タイトル情報がなければ、図８に示すように当該タイトル情報がないことをユーザーに通知するタイトル未入力表示を前記桁表示領域２９に表示させ、当該タイトル表示処理を終了する。
【００２３】
また、ステップＳ１３にてタイトル表示キーが入力されたのでなければ、当該タイトル表示処理を終了する。
【００２４】
また、ステップＳ１８にて当該ＲＡＭ２７に記憶されたＴＯＣ情報内に該当タイトル情報があれば、図３に示すＭ１に移行する。
【００２５】
図３に示すＭ１においては、前記ＲＯＭ２６に格納された案内キャラクタに相当するイメージマークを、図５（ｂ）に示すように前記桁表示領域２９の最右桁２９ｂにセット表示し（ステップＳ２１）、当該イメージマーク表示タイマーを１００ｍｓｅｃにセットし（ステップＳ２２）、当該イメージマーク表示タイマーが１００ｍｓｅｃを経過したか否かを判定する（ステップＳ２３）。
【００２６】
当該イメージマーク表示タイマーが１００ｍｓｅｃを経過したのであれば、図５（ｃ）に示すように当該イメージマークを左方向へ一桁シフト表示し（ステップＳ２４）、イメージマークが当該桁表示領域２９の所定表示桁位置に到達したか否かを判定する（ステップＳ２５）。尚、当該所定表示桁位置とは、当該タイトル名に係わる各文字の表示順序に基づいて各桁表示領域２９の各桁に設定されるものであり、例えば当該タイトル名に係わる最初の文字を表示させる場合には当該所定表示桁位置を最左桁２９ａに、第２番目の文字を表示させる場合には当該所定表示桁位置を前記最左桁２９ａの次桁に相当する左２桁２９ｃにそれぞれ設定されるものである。
【００２７】
また、ステップＳ２５にて当該イメージマークが所定表示桁位置に到達したのであれば、前記ＲＡＭ２７から該当タイトル名に係わる該当文字、例えば“Ｃ”を図５（ｊ）に示すように当該所定表示桁位置に表示させる（ステップＳ２６）。尚、図３に示すステップＳ２１、ステップＳ２２、ステップＳ２３、ステップＳ２４及びステップＳ２５までの処理は、最右桁２９ｂにセット表示されたイメージマークを所定表示桁位置までシフト表示させるための処理動作であり、例えば最初の文字を表示させる際のイメージマークのシフト動作としては図５（ｂ）乃至図５（ｉ）に示すようにシフト表示されるものである。
【００２８】
次にステップＳ２６にて該当文字を所定表示桁位置に表示させた後、当該タイトル名の全表示、すなわち未表示部分を含めた表示が完了したか否かを判定する（ステップＳ２７）。
【００２９】
当該タイトル名の全表示が完了したのでなければ、当該桁表示領域２９の全桁である８桁に表示された、すなわち当該タイトル名に係わる８文字の表示が完了したか否かを判定する（ステップＳ２８）。当該８文字の表示が完了したのであれば、つまり当該タイトル名が９文字以上であると判断し、現在桁表示領域２９に表示中の８文字を左桁方向に一桁づつシフト表示させ（ステップＳ２９）、当該シフト表示により空き桁になった最右桁２９ｂの未表示部分に係わる該当文字を一桁づつ表示させ（ステップＳ３０）、ステップＳ２７に移行する。つまり、ステップＳ２９及びステップＳ３０にてタイトル名に係わる未表示部分である残り文字をスクロール表示させるようにした。
【００３０】
ステップＳ２７にてタイトル名の全表示が完了したのであれば、現在桁表示領域２９に表示中の全文字を図７（ａ）乃至図７（ｇ）に示すように左方向にスクロールさせ（ステップＳ３１）、当該桁表示領域２９に表示中の全文字に係わるスクロールが完了したか否か、すなわち当該桁表示領域２９の全桁がブランクとなったか否かを判定する（ステップＳ３２）。図７（ｈ）に示すように当該全文字に係わるスクロールが完了したのであれば、タイトル表示キーが入力されたか否かを判定する（ステップＳ３３）。
【００３１】
当該タイトル表示キーが入力されたのであれば、当該設定中のタイトルモードを解除し（ステップＳ３４）、当該タイトル表示処理を終了する。
【００３２】
また、ステップＳ３３にてタイトル表示キーが入力されたのでなければ、引き続き当該タイトル名を再表示させるためにステップＳ２１に移行する。
【００３３】
また、ステップＳ２８にて当該桁表示領域２９の全桁に相当する８桁に当該タイトル名に係わる８文字の表示が完了したのでなければ、次の該当文字を表示させる所定表示桁位置が最左桁２９ａの次桁に相当する左２桁２９ｃであるか否かを判定する（ステップＳ３５）。当該所定表示桁位置が左２桁２９ｃでなければ、図中のＭ２に移行する。
【００３４】
また、ステップＳ３５にて当該所定表示桁位置が左２桁２９ｃであれば、図４に示すＭ３に移行する。
【００３５】
図４に示すＭ３において、前記ＲＯＭ２６からイメージマークを呼び出して、図５（ｊ）に示すように当該イメージマークを前記桁表示領域２９の最右桁２９ｂにセットし（ステップＳ４１）、逆シフト用カウント値をクリアーにして（ステップＳ５２）、当該イメージマーク表示タイマーを１００ｍｓｅｃにセットし（ステップＳ４２）、当該セットされたイメージマーク表示タイマーが１００ｍｓｅｃを経過したか否かを判定する（ステップＳ４３）。当該桁表示領域２９に表示中のイメージマークを左方向へ一桁シフト表示し（ステップＳ４４）、当該シフト表示されたイメージマークが左２桁２９ｃに到達したか否かを判定する（ステップＳ４５）。当該イメージマークが左２桁２９ｃに到達したのでなければ、ステップＳ４２に移行する。尚、図４に示すステップＳ４１、ステップＳ４２、ステップＳ４３、ステップＳ４４及びステップＳ４５までの処理は、最右桁２９ｂにセット表示されたイメージマークを図５（ｊ）乃至図５（ｐ）に示すように左２桁２９ｃまでシフト表示させるための処理動作である。
【００３６】
また、ステップＳ４５にてイメージマークが左２桁２９ｃに到達したのであれば、逆シフト用カウント値を＋１インクリメントし（ステップＳ４６）、当該逆シフト用カウント値が“２”になったか否かを判定する（ステップＳ４７）。当該逆シフト用カウント値が“２”でなければ、イメージマーク表示タイマーに１００ｍｓｅｃをセットし（ステップＳ４８）、当該イメージマーク表示タイマーが１００ｍｓｅｃを経過したか否かを判定する（ステップＳ４９）。
【００３７】
当該イメージマーク表示タイマーが１００ｍｓｅｃを経過したのであれば、当該桁表示領域２９に表示中のイメージマークを図６（ａ）に示すように右方向へ一桁シフト表示し（ステップＳ５０）、当該イメージマークが最右桁２９ｂに到達したか否かを判定する（ステップＳ５１）。当該イメージマークが最右桁２９ｂに到達したのでなければ、ステップＳ４８に移行する。尚、図４に示すステップＳ４８、ステップＳ４９、ステップＳ５０及びステップＳ５１までの処理は、右方向へシフト表示中のイメージマークを図６（ａ）乃至図６（ｆ）に示すように最右桁２９ｂまでシフト表示させるための処理動作である。
【００３８】
ステップＳ５１にて当該イメージマークが最右桁２９ｂに到達したのであれば、図６（ｇ）乃至図６（ｌ）に示すように前記イメージマークを再び左２桁２９ｃに到達させるようにステップＳ４２に移行する。
【００３９】
また、ステップＳ４７にて逆シフト用カウント値が“２”になったのであれば、図３に示すＭ１に移行する。
【００４０】
尚、このような左２桁２９ｃに該当文字を表示させる際の図４に示す処理動作においては、イメージマークを最右桁２９ｂから左２桁２９ｃ、最右桁２９ｂの順に左２桁２９ｃへとシフト表示させることにより、当該タイトル表示開始のインパクトをより強くユーザーに与えるようにしたものである。
【００４１】
従って、上記実施例によれば、タイトル表示キーの入力を受けると、イメージマークを桁表示領域２９の最右桁２９ｂから左方向へと順次にシフト表示させ、当該シフト表示中のイメージマークが所定桁にシフト表示されると、当該所定桁に当該タイトル名に係わる該当文字を表示させ、当該桁表示領域２９の全桁に各文字が表示されるまで、すなわちタイトル開始画面が完了するまで、当該イメージマークによる該当文字の誘導を行うようにしたので、ユーザーは当該イメージマークの表示を見ることにより、現在桁表示領域２９に表示中の画面がタイトル開始画面、すなわち当該タイトル名に係わる先頭部分を表示中であることを認識することができ、強いては当該タイトル名を確実に認識することができる。
【００４２】
また、当該タイトル開始画面における桁表示領域２９の左２桁２９ｃに該当文字を表示させるような場合、該当文字を誘導するイメージマークを最右桁２９ｂから左２桁２９ｃへとシフトし、次に左２桁２９ｃから再び最右桁２９ｂへとシフトし、最後に当該最右桁２９ｂから左２桁２９ｃへとシフトした後に、当該左２桁２９ｃに該当文字を表示させるようにしたので、このようなイメージマークの動きにより現在表示中の画面がタイトル開始画面であることをユーザーに強く認識させることができる。
【００４３】
尚、上記実施例においては、ＭＤオートチェンジャーシステムについて説明したが、ＣＤプレーヤやＬＤプレーヤ等のタイトル表示機能を備えたオーディオ装置に適用しても同様の効果が得られることは言うまでもない。
【００４４】
また、ユーザーが任意にタイトル名を入力して、再生中にそのタイトル名を表示させる表示機能を有するオーディオ装置に適用しても同様の効果が得られることは言うまでもない。
【００４５】
【発明の効果】
上記のように構成された本発明のオーディオ装置によれば、タイトル表示指令を受けると、案内キャラクタを桁表示領域の最後桁から最先桁方向へと順次にシフト表示させ、当該シフト表示中の案内キャラクタが所定桁に表示されると、当該所定桁に当該タイトル名に係わる文字キャラクタを表示させ、当該桁表示領域の全桁に各文字キャラクタが表示されるまで、すなわちタイトル開始画面が完了するまで、前記案内キャラクタ及び文字キャラクタの表示動作を繰り返すようにしたので、ユーザーは当該案内キャラクタの表示を見ることにより、現在桁表示領域に表示中の画面がタイトル開始画面、すなわち当該タイトル名に係わる先頭部分を表示中であることを認識することができ、強いては当該タイトル名を確実に認識することができる。
【図面の簡単な説明】
【図１】本発明のオーディオ装置を適用したチェンジャーシステム内部の概略構成を示すブロック図である。
【図２】本実施例におけるチェンジャーシステムのタイトル表示処理におけるＣＰＵの処理動作を示すフローチャートである。
【図３】本実施例におけるチェンジャーシステムのタイトル表示処理におけるＣＰＵの処理動作を示すフローチャートである。
【図４】本実施例におけるチェンジャーシステムのタイトル表示処理におけるＣＰＵの処理動作を示すフローチャートである。
【図５】（ａ）〜（ｐ）  本実施例のタイトル表示処理における桁表示領域の表示状態を示す説明図である。
【図６】（ａ）〜（ｐ）  本実施例のタイトル表示処理における桁表示領域の表示状態を示す説明図である。
【図７】（ａ）〜（ｈ）  本実施例のタイトル表示処理における桁表示領域の表示状態を示す説明図である。
【図８】本実施例のタイトル表示処理における桁表示領域のタイトル未入力時における表示状態を示す説明図である。
【符号の説明】
２４  操作部（操作手段）
２５  表示部（表示手段）
２６  ＲＯＭ（記憶手段）
２７  ＲＡＭ（記憶手段）
２８  ＣＰＵ（制御手段，文字制御手段，シフト制御手段）
２９  桁表示領域
２９ａ  最左桁（最先桁）
２９ｂ  最右桁（最後桁）
【図１】
0003561045.tif 000002
【図２】
0003561045.tif 000003
【図３】
0003561045.tif 000004
【図４】
0003561045.tif 000005
【図５】
0003561045.tif 000006
【図６】
0003561045.tif 000007
【図７】
0003561045.tif 000008
【図８】
0003561045.tif 000009